【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
無線通信のための方法であって、
アクセスポイントにおいて、単一ユーザブロードキャストメッセージと少なくとも１つの他のメッセージとを備えるアグリゲートされたメッセージを生成することと、
１つまたは複数の局に前記アグリゲートされたメッセージを送信することと、ここにおいて、前記単一ユーザブロードキャストメッセージは、指定された時間に複数のアップリンクデータを送信するように前記１つまたは複数の局に命令する制御情報を含む、
を備える、無線通信のための方法。
【請求項２】
前記少なくとも１つの他のメッセージは、少なくとも１つの多ユーザ物理層データユニット（ＰＰＤＵ）を備える、
請求項１に記載の方法。
【請求項３】
前記少なくとも１つの他のメッセージは、制御またはスケジューリング情報を除く少なくとも１つの単一ユーザ物理層データユニット（ＰＰＤＵ）を備える、
請求項１に記載の方法。
【請求項４】
前記指定された時間に前記複数のアップリンクデータの送信を受信することをさらに備え、前記複数のアップリンクデータの各送信は、同じ継続時間を有する、
請求項１に記載の方法。
【請求項５】
前記１つまたは複数の局に肯定応答メッセージを送信することをさらに備える、
請求項４に記載の方法。
【請求項６】
前記単一ユーザブロードキャストメッセージおよび少なくとも１つの他のメッセージの各々は、アップリンクスケジューリングメッセージを備える、
請求項１に記載の方法。
【請求項７】
前記アップリンクスケジューリングメッセージは、許容された送信モードの指示を備える局（ＳＴＡ）情報フィールドを備える、
請求項６に記載の方法。
【請求項８】
請求項１から７のうちのいずれかに記載の方法を実行するための命令を備える、コンピュータプログラム。
【請求項９】
無線通信のための装置であって、
単一ユーザブロードキャストメッセージと少なくとも１つの他のメッセージとを備えるアグリゲートされたメッセージを生成するための手段と、
１つまたは複数の局に前記アグリゲートされたメッセージを送信するための手段と、ここにおいて、前記単一ユーザブロードキャストメッセージは、指定された時間に複数のアップリンクデータを送信するように前記１つまたは複数の局に命令する制御情報を含む、
を備える、無線通信のための装置。
【請求項１０】
前記少なくとも１つの他のメッセージは、少なくとも１つの多ユーザ物理層データユニット（ＰＰＤＵ）を備える、
請求項９に記載の方法。
【請求項１１】
前記少なくとも１つの他のメッセージは、制御またはスケジューリング情報を除く少なくとも１つの単一ユーザ物理層データユニット（ＰＰＤＵ）を備える、
請求項９に記載の方法。
【請求項１２】
前記指定された時間に前記複数のアップリンクデータの送信を受信することをさらに備え、前記複数のアップリンクデータの各送信は、同じ継続時間を有する、
請求項９に記載の方法。
【請求項１３】
前記１つまたは複数の局に肯定応答メッセージを送信することをさらに備える、
請求項１２に記載の方法。
【請求項１４】
前記単一ユーザブロードキャストメッセージおよび少なくとも１つの他のメッセージの各々は、アップリンクスケジューリングメッセージを備える、
請求項９に記載の方法。
【請求項１５】
前記アップリンクスケジューリングメッセージは、許容された送信モードの指示を備える局（ＳＴＡ）情報フィールドを備える、
請求項１４に記載の方法。
【手続補正２】
【補正対象書類名】明細書
【補正対象項目名】０１３９
【補正方法】変更
【補正の内容】
【０１３９】
[0162]上記は、本開示の態様を対象にする一方で、本開示の他のおよびさらなる態様は、それの基本的な適用範囲から逸脱せずに案出されることができ、およびそれの適用範囲は、後続する請求項によって決定される。
以下に本願の出願当初の特許請求の範囲に記載された発明を付記する。
［Ｃ１］
無線通信のための方法であって、
アクセスポイントにおいて、単一ユーザブロードキャストメッセージと少なくとも１つの他のメッセージとを備えるアグリゲートされたメッセージを送信することと、
１つまたは複数の局に前記アグリゲートされたメッセージを送信することと、を備える、無線通信のための方法。
［Ｃ２］
前記少なくとも１つの他のメッセージは、少なくとも１つの多ユーザ物理層データユニット（ＰＰＤＵ）を備える、
Ｃ１に記載の方法。
［Ｃ３］
前記少なくとも１つの他のメッセージは、制御またはスケジューリング情報を除く少なくとも１つの単一ユーザ物理層データユニット（ＰＰＤＵ）を備える、
Ｃ１に記載の方法。
［Ｃ４］
前記アグリゲートされたメッセージは、前記少なくとも１つの他のメッセージが、前記１つまたは複数の局のすべてが復号するように指示される少なくともメッセージを含むかどうかを示す共通物理層ヘッダを備える、
Ｃ１に記載の方法。
［Ｃ５］
前記単一ユーザブロードキャストメッセージおよび前記少なくとも１つの他のメッセージは、各々、前記少なくとも１つの他のメッセージが、前記１つまたは複数の局のすべてが復号するように指示される少なくともメッセージを含むかどうかを示す物理層ヘッダを備える、
Ｃ１に記載の方法。
［Ｃ６］
前記単一ユーザブロードキャストメッセージは、指定された時間に複数のアップリンクデータを送信するように前記１つまたは複数の局に命令する制御情報を含む、
Ｃ１に記載の方法。
［Ｃ７］
前記指定された時間に前記複数のアップリンクデータの送信を受信することをさらに備え、前記複数のアップリンクデータの各送信は、同じ継続時間を有する、
Ｃ６に記載の方法。
［Ｃ８］
前記１つまたは複数の局に肯定応答メッセージを送信することをさらに備える、
Ｃ７に記載の方法。
［Ｃ９］
前記単一ユーザブロードキャストメッセージおよび少なくとも１つの他のメッセージの各々は、アップリンクスケジューリングメッセージを備える、
Ｃ１に記載の方法。
［Ｃ１０］
前記アップリンクスケジューリングメッセージは、許容された送信モードの指示を備える局（ＳＴＡ）情報フィールドを備える、
Ｃ９に記載の方法。
［Ｃ１１］
前記局（ＳＴＡ）情報フィールドは、周波数分割多元接続（ＦＤＭＡ）システムを使用するアップリンクデータに関する周波数トーンを示すトーン割り振りフィールドを備える、
Ｃ１０に記載の方法。
［Ｃ１２］
前記アップリンクスケジューリングメッセージは、アップリンク通信に参加することが許容された前記１つまたは複数の局を識別するマルチキャストアドレスを示す受信機アドレス（ＲＡ）フィールドを備える、
Ｃ９に記載の方法。
［Ｃ１３］
前記アップリンクスケジューリングメッセージは、前記１つまたは複数の局に関するレート情報を示すフィールドを備える、
Ｃ９に記載の方法。
［Ｃ１４］
前記１つまたは複数の局にアップリンクスケジューリングメッセージを送信すること、前記アップリンクスケジューリングメッセージは、前記アップリンクスケジューリングメッセージに応答して局アクセス情報メッセージを送信するように前記１つまたは複数の局に命令する、と、
複数の局アクセス情報メッセージを受信すること、前記複数の局アクセス情報メッセージの各々は、局アクセス情報を示す、と、をさらに備える、
Ｃ１に記載の方法。
［Ｃ１５］
無線通信のために構成された装置であって、
単一ユーザブロードキャストメッセージと少なくとも１つの他のメッセージとを備えるアグリゲートされたメッセージを送信のために生成するように構成されたプロセッサと、  １つまたは複数の局に前記アグリゲートされたメッセージを送信するように構成された送信機と、を備える、無線通信のために構成された装置。
［Ｃ１６］
前記少なくとも１つの他のメッセージは、制御またはスケジューリング情報を除く少なくとも１つの単一ユーザ物理層データユニット（ＰＰＤＵ）を備える、
Ｃ１５に記載の装置。
［Ｃ１７］
前記アグリゲートされたメッセージは、前記単一ユーザブロードキャストメッセージと、１つまたは複数の多ユーザメッセージと、を備える、
Ｃ１５に記載の装置。
［Ｃ１８］
前記アグリゲートされたメッセージは、前記少なくとも１つの他のメッセージが、前記１つまたは複数の局のすべてが復号するように指示される少なくともメッセージを含むかどうかを示す共通物理層ヘッダを備える、
Ｃ１５に記載の装置。
［Ｃ１９］
前記単一ユーザブロードキャストメッセージおよび前記少なくとも１つの他のメッセージは、各々、前記少なくとも１つの他のメッセージが、前記１つまたは複数の局のすべてが復号するように指示される少なくともメッセージを含むかどうかを示す物理層ヘッダを備える、
Ｃ１５に記載の方法。
［Ｃ２０］
前記単一ユーザブロードキャストメッセージは、指定された時間に複数のアップリンクデータを送信するように前記１つまたは複数の局に命令する制御情報を含む、
Ｃ１５に記載の装置。
［Ｃ２１］
前記指定された時間に前記複数のアップリンクデータの送信を受信するように構成された受信機をさらに備え、前記複数のアップリンクデータの各送信は、前記同じ継続時間を有する、
Ｃ２０に記載の装置。
［Ｃ２２］
前記単一ユーザブロードキャストメッセージおよび前記少なくとも１つの他のメッセージの各々は、アップリンクスケジューリングメッセージを備える、
Ｃ１５に記載の装置。
［Ｃ２３］
前記アップリンクスケジューリングメッセージは、アップリンクデータの送信の継続時間を示す物理層データユニット（ＰＰＤＵ）継続時間フィールドを備える、
Ｃ２２に記載の装置。
［Ｃ２４］
前記アップリンクスケジューリングメッセージは、許容された送信モードの指示を備える局（ＳＴＡ）情報フィールドを備える、
Ｃ２２に記載の装置。
［Ｃ２５］
前記局（ＳＴＡ）情報フィールドは、周波数分割多元接続（ＦＤＭＡ）システムを使用するアップリンクデータに関するトーン／周波数を示すトーン割り振りフィールドを備える、
Ｃ２４に記載の装置。
［Ｃ２６］
前記アップリンクスケジューリングメッセージは、アップリンク通信に参加することができる前記１つまたは複数の局を識別するマルチキャストアドレスを示す受信機アドレス（ＲＡ）フィールドを備える、
Ｃ２２に記載の装置。
［Ｃ２７］
前記単一ユーザブロードキャストメッセージは、前記１つまたは複数の局に関するデータ、制御、または管理情報を備える、
Ｃ１５に記載の装置。
［Ｃ２８］
前記１つまたは複数の局にアップリンクスケジューリングメッセージを送信するように構成された送信機、前記アップリンクスケジューリングメッセージは、前記アップリンクスケジューリングメッセージに応答して局アクセス情報メッセージを送信するように前記１つまたは複数の局に命令する、をさらに備え、
ここにおいて、前記装置の受信機は、複数の局アクセス情報メッセージを受信するように構成され、前記局アクセス情報メッセージは、局アクセス情報を示す、
Ｃ１５に記載の装置。
［Ｃ２９］
無線通信のための装置であって、
単一ユーザブロードキャストメッセージと少なくとも１つの他のメッセージとを備えるアグリゲートされたメッセージを生成するための手段と、
１つまたは複数の局に前記アグリゲートされたメッセージを送信するための手段と、を備える、無線通信のための装置。
［Ｃ３０］
非一時的なコンピュータ可読媒体であって、
実行されると、
単一ユーザブロードキャストメッセージと少なくとも１つの他のメッセージとを備えるアグリゲートされたメッセージを生成すること、および
１つまたは複数の局に前記アグリゲートされたメッセージを送信することを装置に行わせるコードを備える、非一時的なコンピュータ可読媒体。